(57)【要約】【課題】全天候において使用ができ、且つ、より組立、解体、撤去および持ち運びの容易な組立式の個室を提供する。【解決手段】組立式個室は、プラスチックダンボールで構成され、所定の空間を囲む側壁１１１と、側壁１１１の上部に取り付け可能に設けられた、プラスチックダンボールで構成された天井１５とを含む。天井１５は、側壁１１１の上部に対して、面ファスナで着脱自在に取付けられる。【選択図】図１
2007332758.tif 000002
【特許請求の範囲】
【請求項１】
プラスチックダンボールで構成され、所定の空間を囲む側壁と、
前記側壁の上部に取り付け可能に設けられた、プラスチックダンボールで構成された天井とを含み、
前記天井は、前記側壁の上部に対して、面ファスナで着脱自在に取付けられる、組立式個室。
【請求項２】
前記側壁は開口部を有し、前記開口部は開閉自在である、請求項１に記載の組立式個室。
【請求項３】
前記側壁は下部において、横方向に突出した突出部を有し、
前記突出部には、所定の重りが載置可能である、請求項１または２に記載の組立式個室。
【請求項４】
プラスチックダンボールで構成され、所定の空間を囲む側壁と、
前記側壁の上部に取り付け可能に設けられた、プラスチックダンボールで構成された天井とを含み、
前記天井は、前記側壁の上部に係合可能な突起部を有する、組立式個室。
【請求項５】
前記側壁は、それぞれが同一の長さおよび幅寸法を有する複数の矩形状のシートで構成され、
前記矩形状のシートの隣接する幅方向の端部は、それぞれ、弾性を有する接続具で接続されている、請求項１から４のいずれかに記載の組立式個室。
【請求項６】
前記側壁は、４枚の矩形状のシートで構成され、
前記天井を外したとき、前記４枚の矩形状のシートは、隣接する２枚の矩形状シートの内部に他の隣接する２枚のシートが含まれるように折り畳可能である、請求項５に記載の組立式個室。
【請求項７】
一対の断面がＵ字状の受け部を、その閉じた部分を相互に弾性を有する接続部材で接続した接続具であって、
前記Ｕ字状の開口部は、その一方側に、他方側に突出する突起部を有している、接続具。
【請求項８】
前記Ｕ字状の開口部には、所定の厚さを有するプラスチックダンボールが折り曲げられて挿入され、
前記プラスチックダンボールの端部が前記突起部に係合する、請求項７に記載の接続具。 
【発明の詳細な説明】
【技術分野】
【０００１】
この発明は、組立式個室に関し、特に、簡単に組立、分解できる組立式個室に関する。
【背景技術】
【０００２】
従来の組立式トイレボックスのような組立式個室が、たとえば、特開平１０−３３９０４６号公報（特許文献１）に開示されている。特許文献１によれば、段ボール板に所定の折り目形成線を設け、これらの折り目形成線に従って段ボール板を折り曲げて、壁枠を形成し、それらをジョイント部材で接続して、箱体を組立可能に構成し、箱体の内部に便器を備えた組立式トイレボックスが開示されている。
【特許文献１】特開平１０−３３９０４６号公報（要約）
【発明の開示】
【発明が解決しようとする課題】
【０００３】
従来の組立式トイレボックスのような組立式個室は上記のように構成されていた。素材の大部分を段ボールで構成し組立可能としたため、大量に保存が可能であるとともに、運搬も容易で軽量であるため、取り扱いやすいという利点があったが、紙製の段ボールで構成されていたため、雨天においては、テントの中に入れる必要があるという問題があった。また、プラスチックのジョイント部材が必要であるため、組立に時間がかかるという問題もあった。
この発明は、上記のような問題を解消するためになされたもので、全天候において使用ができ、且つ、より組立の容易な組立式の個室を提供することを目的とする。
【課題を解決するための手段】
【０００４】
この発明によれば、組立式個室は、プラスチックダンボールで構成され、所定の空間を囲む側壁と、側壁の上部に取り付け可能に設けられた、プラスチックダンボールで構成された天井とを含み、天井は、側壁の上部に対して、面ファスナで着脱自在に取付けられる。
【０００５】
好ましくは、側壁は開口部を有し、開口部は開閉自在である。
【０００６】
さらに好ましくは、側壁は下部において、横方向に突出した突出部を有し、突出部には、所定の重りが載置可能である。
【０００７】
この発明の他の局面においては、組立式個室は、プラスチックダンボールで構成され、所定の空間を囲む側壁と、側壁の上部に取り付け可能に設けられた、プラスチックダンボールで構成された天井とを含み、天井は、側壁の上部に係合可能な突起部を有する。
【０００８】
好ましくは、側壁は、それぞれが同一の長さおよび幅寸法を有する複数の矩形状のシートで構成され、矩形状のシートの隣接する幅方向の端部は、それぞれ、弾性を有する接続具で接続されている。
【０００９】
さらに好ましくは、側壁は、４枚の矩形状のシートで構成され、天井を外したとき、４枚の矩形状のシートは、隣接する２枚の矩形状シートの内部に他の隣接する２枚のシートが含まれるように折り畳可能である。
【００１０】
この発明のさらに他の局面においては、接続具は、一対の断面がＵ字状の受け部を、その閉じた部分を相互に弾性を有する接続部材で接続している。接続具のＵ字状の開口部は、その一方側に、他方側に突出する突起部を有している。
【００１１】
好ましくは、Ｕ字状の開口部には、所定の厚さを有するプラスチックダンボールが折り曲げられて挿入され、プラスチックダンボールの端部が突起部に係合する。
【発明の効果】
【００１２】
組立式個室は、全体がプラスチックダンボールで構成され、側壁と天井とが面ファスナで着脱自在に取付けられるため、雨天においても使用が可能であり、また、接続部は面ファスナテープで貼り付けているため、組立が容易である。
【００１３】
その結果、全天候において使用ができ、且つ、より組立、解体、撤去および持ち運びの容易な組立式の個室を提供できる。
【発明を実施するための最良の形態】
【００１４】
以下、この発明の一実施の形態に係る組立式個室を、組立式トイレに適用した例について図面を参照して説明する。図１は、この発明の一実施の形態に係る組立式トイレを示す斜視図である。図１を参照して、組立式トイレ１０は、全体として直方体であり、３方向の側壁を構成する側壁部１１と、側壁部１１に連続して設けられ、ドア１２を取付けた正面部１３と、側壁部１１および正面部１３の上方に設けられた天井１５とを含み、それぞれの部材がプラスチックダンボールで構成されている。寸法としては、全高が２０００ｍｍ、正面部１３の幅が８００ｍｍ、側壁部の幅が９００ｍｍ程度が好ましい。また、使用するプラスチックダンボールの厚さは約７ｍｍ程度が好ましい。
【００１５】
図２（Ａ）は、側壁部１１および正面部１３を示す斜視図である。図２（Ａ）を参照して、側壁部１１は、第１壁部１１１と、第１壁部１１１に連続して設けられた第２壁部１１２と、第２壁部１１２に連続して設けられた第３壁部１１３とを含む。正面部１３は、ドア１２と、ドア１２を開閉自在に支持するドア支持部１３１と、ドア支持部１３１に対して、ドア１２とは、反対側に設けられたドア当接部１３２とを含む。
【００１６】
ドア１２には取っ手１２ａが設けられ、この取っ手１２ａを用いてドア１２の開閉を行う。ドア１２とドア当接部１３２とは、ドア１２を閉じたときに相互に重なる部分を有し、この重なる部分に、たとえば、両面ファスナを設けて、ドア１２を開閉自在とする。
【００１７】
図２（Ｂ）〜図２（Ｄ）に、第１壁部１１１、第２壁部１１２、および第３壁部１１３を示す。図２（Ｂ）を参照して、第１壁部１１１は、縦方向に長い、矩形の壁部１１１ａと、壁部から横方向に折れ曲がった折れ曲がり部１１１ｂとを含む。第２壁部１１２、および第３壁部１１３も同様の折れ曲がり部を有している。この折れ曲がり部１１１ｂ等にはブロックや砂袋等の重しが載置可能である。この様子を図１に示す。図１を参照して、折れ曲がり部１１１ｂにブロック１７が重りとして載置される。その結果、組立られたトイレは風に対しても耐えうる。
【００１８】
図２（Ｅ）は、図２（Ｂ）において、第１壁部１１１を矢印Ｅ-Ｅで示す方向から見た
図である。図２（Ｅ）に示すように、第１壁部１１１の上端部には、後に説明する天井を取付けるための面ファスナ１１１ｃ、１１１ｄが取付けられている。第２壁部１１２、および第３壁部１１３も同様の構成を有している。側壁部１１および正面部１３の上方に設けられた面ファスナ１１１ｃ等を図２（Ａ）にも示す。
【００１９】
図２（Ｆ）および（Ｇ）は正面部１３を示す図である。図２（Ｆ）および（Ｇ）を参照して、ドア１２はドア支持部１３１に対して折り曲げ自在に接続されて一体化されている。ドア１２の寸法は高さが１８５０ｍｍで幅が６００ｍｍ程度が好ましい。また、ドア１２の下部と設置される地面との間には５ｃｍから１０ｃｍ程度の隙間を設けるのが好ましい。ドア支持部１３１の幅寸法は、１００ｍｍ程度が好ましい。ドア支持部１３１は、ドア１２より上方向に突出した部分１３１ａを有し、この部分１３１ａが天井との重ね代になる。ドア当接部１３２も基本的には、ドア支持部１３１と同一寸法である。ドア支持部１３１およびドア当接部１３２は、ともに下部に横方向に延びる折れ曲がり部を有している。
【００２０】
次にこれらの側壁部１１および正面部１３の組立てについて説明する。図３は、側壁部１１および正面部１３を接続した状態を上方向から見た平面図である。図３を参照して、ドア１２、ドア支持部１３１、第１壁部１１１、第２壁部１１２、第３壁部１１３およびドア当接部１３２とは、相互に接続されている。この接続の様子を図４に示す。図４は図３においてＩＶで示した部分の拡大平面図である。図４を参照して、相互に隣接する、ドア支持部１３１と第１壁部１１１とは強度の強いテープ１６でその外側と内側とを接続している。他の隣接する壁部等についても同様である。その結果、側壁部１１および正面部１３は、それらの接続部において自在に折り曲げ可能になる。
【００２１】
次に天井について説明する。図５（Ａ)は天井１５の展開図であり、図５（Ｂ）は天井
１５を組み立てた状態を示す図である。図５（Ａ）を参照して、天井１５の展開図は、天井となる部分１５１と、天井となる部分１５１に連続して設けられた４つの側部１５２〜１５５を含む。天井となる部分１５１と４つの側部１５２〜１５５との間には折り目１５６が設けられている。それぞれの側部１５２〜１５５は、側壁部１１と重なる重なり部１５２ａ〜１５５ａ（図５（Ｂ）参照）と、補強部１５２ｂ〜１５５ｂとを含む。重なり部１５２ａ〜１５５ａと補強部１５２ｂ〜１５５ｂとの間には折り目が設けられている。一方の重なり部（たとえば１５２ａ）と他方の補強部（たとえば１５３ｂ）との間は溝１５８で分離されている。
【００２２】
重なり部１５２ａ〜１５５ａと補強部１５２ｂ〜１５５ｂの幅方向寸法は約１００ｍｍである。それぞれの重なり部１５２ａ〜１５５ａの、溝で他の重なり部と隣接する部分の表側には、面ファスナ１５２ｃ〜１５５ｃが取付けられ、補強部１５２ｂ〜１５５ｂの裏側には面ファスナ１５２ｄ〜１５５ｄが取付けられている。面ファスナ１５２ｃ〜１５５ｃと面ファスナ１５２ｄ〜１５５ｄとは相互に接着可能である。
【００２３】
また、それぞれの重なり部１５２ａ〜１５５ａの裏面の両端部付近には面ファスナ１５２ｅ〜１５５ｅ，１５２ｅ〜１５５ｆが設けられている。
【００２４】
図５（Ａ）に示した展開図において、折り目１５６、１５７で折って、面ファスナ１５２ｃ〜１５５ｃと面ファスナ１５２ｄ〜１５５ｄとを接着すると、図５（Ｂ）に示すような天井１５が完成する。図５（Ｂ）を参照して、天井１５の折り曲げれた４つのコーナが補強部１５２ｂ〜１５５ｂで補強されるため、十分な強度が得られる。
【００２５】
なお、天井１５は半透明にすれば、室内が明るくなって好ましい。
【００２６】
このようにして完成した天井１５を側壁部の上に載置して側壁部１１の面ファスナ１１１ｃ等と天井１５の面ファスナ１５２ｅ等とを接続する。
【００２７】
なお、内部に設けられる便器については、上記した組立式トイレに収納可能な任意のものを使用可能であるため、その説明は省略する。
【００２８】
以上のように、この実施の形態に係る組立式トイレは、全体がプラスチックダンボールで構成されるとともに、側壁部等が一体化され、その上に天井を載せて、面ファスナで接続するだけで完成するため、全天候型で、かつ、必要なときに簡単に組立、解体、撤去および持ち運びが可能である。また、側壁部の下端には横方向に延びる折れ曲がり部を設け、そこにブロックや砂袋等の重しを載置する可能としたため、風の影響を受けることが少ない。
【００２９】
なお、上記実施の形態においては、組立式個室を、組立式トイレに適用した例について説明したが、これに限らず、更衣室や、シャワー室や物置等に適用してもよい。
【００３０】
また、上記実施の形態においては、天井を側壁部と別体とした場合について説明したが、これに限らず、天井を側壁部の一部に接続して、組立時には、分離されている部分を面ファスナのような接続部材で接続するようにしてもよい。
【００３１】
また、上記実施の形態においては、組立式個室として直方体形状のものについて説明したが、これに限らず、平面形状として、楕円形や、一部楕円形、三角形等であってもよい。
【００３２】
また、上記実施の形態においては、折れ曲がり部を外部に突出させたが、これに限らず、内部に突出させても良い。
【００３３】
次にこの発明の他の実施の形態について説明する。図６は、この発明の他の実施の形態に係る組立式個室を示す図である。図６（Ｂ）は正面図であり、図６（Ａ）は図６（Ｂ）において矢印Ａ-Ａで示す平面図であり、図６（Ｃ）は図６（Ｂ）において矢印Ｃ-Ｃで示す側面図である。
【００３４】
図６を参照して、この実施の形態に係る組立式個室２０は、先の実施の形態と、使用材料および基本的な構成は同じである。この実施の形態における先の実施の形態との主な相違点は、それぞれの壁部２１１，２１２，２１３および正面部２３が相互に接続具２４ａ〜ｄで接続されている点と、壁部２１１，２１２，２１３および正面部２３と天井２５との接続方法が異なる点と、正面部２３に設けられたドアが観音開きのドア２２，２２ｂとなっている点と、壁部２１１，２１２，２１３の下端部に支持部２６ｂ〜２６ｄが設けられている点である。したがって、基本的に、先の実施の形態における１０番または１００番台で示した部分の対応する部分を２０番または２００番台で示す。
【００３５】
図７は、図６（Ａ）に示した平面図において、１つのコーナ部における、接続具２４による接続状態を示す図である。図７を参照して、たとえば、壁部２１１と正面部２３とが、両端部にＵ字状の接続部を有するフレキシブルな接続具２４で接続されている。
【００３６】
図８（Ａ）は、接続具２４の具体的な構成を示す図である。図８（Ａ）を参照して、接続具２４は、両端部に設けられたＵ字状の収納部２４１、２４２と、Ｕ字状の収納部２４１、２４２とをその底部（閉じている部分）で接続する接続部２４３とを含む。Ｕ字状の接続２４１、２４２のそれぞれの対向する開口部の一方側には対向する方向に突出した突起部２４１ａ，２４２ａが設けられている。突起部２４１ａ，２４２ａの閉じている側は、収納部２４１、２４２を構成する壁に垂直な方向に延在する垂直壁２４５を構成し、開口部側は閉じている側に傾斜している傾斜壁２４６を構成する。
【００３７】
図８（Ｂ）は、接続具２４に壁部２１１等を取付けた状態を示す図である。図８（Ｂ）を参照して、壁部２１１等を接続具２４に取付けるときは、その先端部近傍で２つ折りし、その先端部が上記した垂直壁２４５に当接し、折り曲げ部がＵ字の底に沿うように取付けられる。収納部２４１，２４２の開口部に傾斜壁２４６が設けられているため、壁部２１１等の挿入が容易である。また、突起部２４１ａ，２４２ａは、上記のような形状であるため、一旦挿入された壁部２１１等は、引き抜こうとしても収納部２４１、２４２の形状によって拘束されるため、容易には引き抜けない。
【００３８】
図９は、上記のように壁部２１１等が相互に接続された状態で折りたたんだときの、接続具２４の周囲を示す図である。まず、点線で示すように２枚ずつの壁部が重ねられた後、図中矢印で示すように片方の２枚が他の２枚に折り重ねられて、４枚の壁部等がコンパクトに収納が可能になる。
【００３９】
図１０は、図６に示した支持部２６ｂ〜２６ｄを示す図である。図１０を参照して、組立式個室を使用するときは、支持部２６ｂ〜２６ｄは、図６（Ｃ）において一点鎖線で示した状態から図１０において矢印で示すように、傾斜部２６２ａ，２６２ｂの上端部（ここで、支持部２６は、図６において２点鎖線で示されるように、不使用時には、壁部２１１に固定されている）を中心にして底部材２６１が設置平面に沿うように降ろされる。壁２１１には、その下部の所定の位置に面ファスナ２６５ａ，２６５ｂが設けられており、これに、立上り部２６３の裏面に設けられた面ファスナ２６４ａ，２６４ｂが当接して底部材２６１が固定される。他の支持部についても同様である。
【００４０】
このようにして形成された支持部２６ｂ〜２６ｄには、図６（Ｂ）に示すように、重りとして水入りのバケツ等が置かれる。
【００４１】
図１１は、天井２５を壁部２１１等に設ける状態を示す図である。図１１を参照して、天井２５は、その下面の４つのコーナの近傍に台形状の突起部２５２ａ〜２５２ｄを有する。この突起部２５２ａ〜２５２ｄは、天井２５を構成しているプラスチックダンボールを５枚程度重ねて構成される。この突起部２５２ａ〜２５２ｄは、壁部２１１等で構成された矩形の開口部２１５内に摺動しながら挿入可能に形成されている。すなわち、相互に隣接する台形の対向する斜辺間で規定される寸法は、壁部２１１等で構成された矩形の開口部２１５より多少大きい寸法にされている。そのため、天井２５を壁部２１１等内に挿入するだけで、組立式個室２０の上部の形状が規定される。なお、天井２５の上面を構成する矩形のプラスチックダンボールの平面寸法は、開口部２１５よりも壁部２１１等の厚さ分だけ大きい寸法を有している。
【００４２】
図１２は、この実施の形態における組立式個室２０の下部の形状を安定化させる構成を示す図である。図１２を参照して、壁部２１３と壁部２１３に隣接する壁２１２および正面壁部２３１の相互に隣接する側の端部近傍には、それぞれの壁部等間を接続する、容易にたわみうる紐２７ａ，２７ｂが設けられている。この紐２７ａ，２７ｂは、天井２５を壁部２１１等で構成された開口部に取付けることによって組立式個室２０を組立たときに、緊張する寸法を有している。この緊張された紐２７ａ，２７ｂの上には、対向する壁２１２と２３１との間を突っ張るように板２８が載置される。このように、組立式個室２０の下部においても対向する壁間を突っ張る板２８を設けたため、組立式個室２０の下部が安定する。
【００４３】
なお、この板は、他方の正面壁部２３２側にも設けてもよい。また、この板２８の幅寸法は、正面壁部２３１、２３２の幅寸法よりも狭い。
【００４４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００４５】
【図１】この発明の一実施の形態に係る組立式トイレの斜視図である。
【図２】組立式トイレを構成する個々の部材を示す図である。
【図３】組立式トイレを構成する側壁部等の平面図である。
【図４】側壁等の接続部を示す図である。
【図５】天井を示す図である。
【図６】この発明の他の実施の形態に係る組立式トイレを示す図である。
【図７】他の実施の形態における組立式トイレのコーナ部を示す平面図である。
【図８】接続具を示す平面図である。
【図９】他の実施の形態における壁部を折り畳んだ状態を示す図である。
【図１０】支持部の詳細を示す図である。
【図１１】他の実施の形態における天井と壁部との接続形態を示す図である。
【図１２】組立式トイレの下部を安定化させる構成を示す図である。
【符号の説明】
【００４６】
１０，２０  組立式トイレ、１１  側壁部、１２，２２  ドア、１３，２３  正面部、１５，２５  天井、２４  接続具、２６  支持部、２１１，２１２，２１３  壁部。
【図１】
2007332758.tif 000003
【図２】
2007332758.tif 000004
【図３】
2007332758.tif 000005
【図４】
2007332758.tif 000006
【図５】
2007332758.tif 000007
【図６】
2007332758.tif 000008
【図７】
2007332758.tif 000009
【図８】
2007332758.tif 000010
【図９】
2007332758.tif 000011
【図１０】
2007332758.tif 000012
【図１１】
2007332758.tif 000013
【図１２】
2007332758.tif 000014